(57)【要約】      （修正有）【課題】簡単な構成で洗浄中に落下することがないコンタクトレンズ落下防止機能付き洗浄具を提供する。【解決手段】内周壁に雌ネジが形成され、底部に複数の貫通孔２１ａが形成され、ハードコンタクトレンズ１Ｒのレンズ保持部をキャップ４ごと収容可能な蓋部２１と、蓋部２１の雌ネジと螺合可能な雄ネジが形成された円筒部と、円筒部から上方に広がるテーパー部２３と、を備える。【選択図】図７
0003208583.tif 000002
【実用新案登録請求の範囲】
【請求項１】
内周壁に雌ネジが形成され、底部に複数の貫通孔が形成され、ハードコンタクトレンズのレンズ保持部をキャップごと収容可能な蓋部と、前記蓋部の雌ネジと螺合可能な雄ネジが形成された円筒部と、前記円筒部から上方に広がるテーパー部と、を備えたことを特徴とするコンタクトレンズ落下防止機能付き洗浄具。
【請求項２】
内周壁に雌ネジが形成され、底部に複数の貫通孔が形成され、ハードコンタクトレンズのレンズ保持部をキャップごと収容可能な蓋部と、前記蓋部の雌ネジと螺合可能な雄ネジが形成された円筒部と、前記円筒部から上方に広がるテーパー部と、を有する第一の洗浄具本体と、
内周壁に雌ネジが形成され、底部に複数の貫通孔が形成され、ハードコンタクトレンズのレンズ保持部をキャップごと収容可能な蓋部と、前記蓋部の雌ネジと螺合可能な雄ネジが形成された円筒部と、前記円筒部から上方に広がるテーパー部と、を有する第二の洗浄具本体と、
を並列接続したことを特徴とするコンタクトレンズ落下防止機能付き洗浄具。
【請求項３】
内周壁に雌ネジが形成され、底部に複数の貫通孔が形成され、ハードコンタクトレンズのレンズ保持部をキャップごと収容可能な蓋部と、前記蓋部の雌ネジと螺合可能な雄ネジが形成された円筒部と、前記円筒部から上方に広がるテーパー部と、を有する第一の洗浄具本体と、
内周壁に雌ネジが形成され、底部に複数の貫通孔が形成され、ハードコンタクトレンズのレンズ保持部をキャップごと収容可能な蓋部と、前記蓋部の雌ネジと螺合可能な雄ネジが形成された円筒部と、前記円筒部から上方に広がるテーパー部と、を有する第二の洗浄具本体と、
前記第一の洗浄具本体と前記第二の洗浄具本体とを連結する断面半円形状の連結部と、
前記第一の洗浄具本体、前記第二の洗浄具本体、及び前記連結部を覆う、長円形状の開口部を有する断面半円形状のカバーと、
前記カバーの上端に設けられ前記ハードコンタクトレンズの外径より小さい複数の貫通孔を有する注水口と、
を備えたことを特徴とするコンタクトレンズ落下防止機能付き洗浄具。
【請求項４】
前記カバーと前記連結部を接続する接続手段を有することを特徴とする請求項３記載のコンタクトレンズ落下防止機能付き洗浄具。
【請求項５】
前記蓋部と、前記円筒部とが一体的に形成されていることを特徴とする請求項１から４の何れか一項記載のコンタクトレンズ落下防止機能付き洗浄具。
【請求項６】
前記貫通孔の内径は1.0ｍｍ〜1.5ｍｍの範囲であることを特徴とする請求項１から５の何れか一項記載のコンタクトレンズ落下防止機能付き洗浄具。
【考案の詳細な説明】
【技術分野】
【０００１】
本考案は、コンタクトレンズ落下防止機能付き洗浄具に関する。
【背景技術】
【０００２】
コンタクトレンズは、ソフトコンタクトレンズ及びハードコンタクトレンズの２種類が挙げられる。
ソフトコンタクトレンズは、ユーザーの黒目より大きなサイズ（平均14ｍｍ程度）の含水性素材でできており、柔らかく、付け心地が良く、慣れるまでに時間がかからない。また、ソフトコンタクトレンズは、ハードコンタクトレンズに比べ酸素を通しにくく、乾きや汚れにも弱いので、１日あたり12時間程度しか使用できないとされている。
【０００３】
ソフトコンタクトレンズに対して、ハードコンタクトレンズは、ユーザーの黒目よりやや小さなサイズ（平均8ｍｍ程度）の特殊なプラスチック性素材でできているため、硬く、慣れるまで時間がかかる。また、ハードコンタクトレンズは、水分を含んでいないので、乾きにくく、汚れにも強く、ソフトコンタクトレンズに比べて度が出やすいので、強度近視の人でも利用できる。
ここで、度が出やすいとは、度数（Ｄ、ＰＯＷＥＲ、ＳＰＨと表記されることがある。）の数値（近視の場合はマイナス数値、例えば、−5.00、遠視の場合はプラス数値、例えば、＋5.00）の大きいものを製造することが可能であることを意味する。
【０００４】
ソフトコンタクトレンズは、専用の保存液の入った容器に右目用と左目用とが隔離されて浸漬され、装着時には容器からそれぞれユーザーが指で取り出してそのまま目に装着するようになっており、水道水での洗浄は厳禁とされている。それは、ソフトコンタクトレンズの塩分による浸透圧により水道水中の水分を吸収しふやけてしまうためである。
【０００５】
ソフトコンタクトレンズに対して、ハードコンタクトレンズは、専用の洗浄保存液の入った容器に浸漬し、装着時にはユーザーが容器ごとレンズを水道水で洗浄した後、ユーザーの指で目に装着しなければならない。
【０００６】
図１（ａ）は、近視用のハードコンタクトレンズの正面図であり、図１（ｂ）は、図１（ａ）のＩｂ−Ｉｂ線断面図であり、図１（ｃ）は、図１（ａ）に示したハ
ードコンタクトレンズの一対を収容するレンズケースの拡散分解図の一例であり、図１（ｄ）は図１（ａ）に示したハードコンタクトレンズの一対を収容したレンズケースの外観斜視図である。
【０００７】
図１（ａ）、（ｂ）に示すハードコンタクトレンズ１は、プラスチックからなる凹メニスカスレンズである。右目用のハードコンタクトレンズ１Ｒと左目用のハードコンタクトレンズ１Ｌとが示されている。通常、右目と左目とは近視度（もしくは遠視度）や眼球のカーブの形状が異なっているためである。このため、左右区別するためキャップ４、５の表面に右目用を示す「Ｒ」と左目用を示す「Ｌ」とがエンボス加工されている。
【０００８】
図１（ｃ）に示すレンズケース２は、透明プラスチックからなり、両側に雄ネジが形成されたケース本体３と、内周壁に雄ネジに螺合する雌ネジが形成され、ケース本体３の両側にネジ込み可能なキャップ４、５を有する。両キャップ４、５の内側にはハードコンタクトレンズ１Ｒ（右目用）、１Ｌ（左目用）をそれぞれ収容するレンズ保持部６、７がそれぞれ装着されている。ケース本体３内には、右目用の収容部と左目用の周凹部とを離隔するため、中央に隔壁３Ｃが形成されている。
【０００９】
図１（ｄ）に示すようにハードコンタクトレンズ１Ｒ、１Ｌがそれぞれレンズ保持部６、７に保持された状態のキャップ４、５がケース本体３に螺合される。尚、ユーザーの就寝前にはユーザーの目から取り外されたコンタクトレンズ１Ｒ、１Ｌが洗浄保存液ごとケース本体３内に収容されるようになっている。
【００１０】
図２は、ユーザーＵがハードコンタクトレンズ１Ｒをレンズ保持部６ごと水道水で洗浄保存液を洗い流す状態を示す図である。
洗面ボール１０に、排水口１１を覆うようにして円形もしくは楕円形の装着用マット１２が配置されている。装着用マット12は、ハードコンタクトレンズ１Ｒ（１Ｌ）の流出を防止するためである。
装着用マット１２は、例えば、楕円形状のゴム板にハードコンタクトレンズ１Ｒ（１Ｌ）の外径より小さい複数（図では３９個であるが限定されない。）の貫通孔１２ａが形成されたものである。ユーザーＵは、この装着用マット１２を用いて、蛇口１３からの水道水で洗浄するようになっている。ハードコンタクトレンズ１Ｌの洗浄の場合も同様である。
【００１１】
しかしながら、蛇口１３からの水道水の水圧が高かったり、ハードコンタクトレンズ１Ｒ（１Ｌ）がレンズ保持部６（７）からずれていたりした場合等には、図３に示されるようにハードコンタクトレンズ１Ｒがレンズ保持部４から外れて、洗面ボール１０内に落下したり、装着用マット１２で跳ね返って洗面ボール１０から床に落下したりすることがある。
通常、ハードコンタクト装着時は、ユーザーＵは予め眼鏡を外した状態、すなわち、裸眼状態となっており、近視もしくは遠視の状態で洗面ボール１０内を探すのは面倒であり、特に床面に落下したハードコンタクトレンズ１Ｒ（１Ｌ）を探すのは困難である。
尚、図３は、レンズ保持部６からハードコンタクトレンズ１Ｒが外れた状態を示す図である。
かかる問題点の解決を図った例として、特許文献１がある。
【先行技術文献】
【特許文献】
【００１２】
【特許文献１】公開実用新案昭６２−７６３２１号公報
【００１３】
特許文献１に記載の発明は、コンタクトレンズ洗浄具に関するものであり、具体的には、任意形状の筐体下部に段差を設けて胴部を形成し、その下部に外側が円形、中空の筐体を設け、胴部に網状体を設けたものである。
【考案の概要】
【考案が解決しようとする課題】
【００１４】
しかしながら、特許文献１に記載の考案は、レンズケースからハードコンタクトレンズごとレンズホルダーを外し、筐体の雄ネジとレンズホルダーの雌ネジとを合わせてレンズホルダーを回して取付けなければならず煩わしく、取付け途中で紛失するおそれがある。
また、特許文献１に記載の考案は、筐体に網状体が形成されているため、筐体に蛇口から水を注ぐと、網状体からの水が洗面ボールに当たって跳ね返るという問題がある。さらに筐体に網状体を形成する加工と、レンズホルダーの雌ネジに螺合可能な雄ネジを形成する加工が必要であり、その分コストがかかるという問題も同時に発生していた。
【００１５】
本考案は、上記課題に鑑みてなされたもので、簡単な構成で洗浄中に落下することがないコンタクトレンズ落下防止機能付き洗浄具の提供を目的とする。
【課題を解決するための手段】
【００１６】
かかる目的を達成するために、本考案の請求項１に係る考案は、内周壁に雌ネジが形成され、底部に複数の貫通孔が形成され、ハードコンタクトレンズのレンズ保持部をキャップごと収容可能な蓋部と、前記蓋部の雌ネジと螺合可能な雄ネジが形成された円筒部と、前記円筒部から上方に広がるテーパー部と、を備えたことを特徴とする。
【００１７】
請求項２に係る考案は、内周壁に雌ネジが形成され、底部に複数の貫通孔が形成され、ハードコンタクトレンズのレンズ保持部をキャップごと収容可能な蓋部と、前記蓋部の雌ネジと螺合可能な雄ネジが形成された円筒部と、前記円筒部から上方に広がるテーパー部と、を有する第一の洗浄具本体と、内周壁に雌ネジが形成され、底部に複数の貫通孔が形成され、ハードコンタクトレンズのレンズ保持部をキャップごと収容可能な蓋部と、前記蓋部の雌ネジと螺合可能な雄ネジが形成された円筒部と、前記円筒部から上方に広がるテーパー部と、を有する第二の洗浄具本体と、を並列接続したことを特徴とする。
【００１８】
請求項３に係る考案は、内周壁に雌ネジが形成され、底部に複数の貫通孔が形成され、ハードコンタクトレンズのレンズ保持部をキャップごと収容可能な蓋部と、前記蓋部の雌ネジと螺合可能な雄ネジが形成された円筒部と、前記円筒部から上方に広がるテーパー部と、を有する第一の洗浄具本体と、内周壁に雌ネジが形成され、底部に複数の貫通孔が形成され、ハードコンタクトレンズのレンズ保持部をキャップごと収容可能な蓋部と、前記蓋部の雌ネジと螺合可能な雄ネジが形成された円筒部と、前記円筒部から上方に広がるテーパー部と、を有する第二の洗浄具本体と、前記第一の洗浄具本体と前記第二の洗浄具本体とを連結する断面半円形状の連結部と、前記第一の洗浄具本体、前記第二の洗浄具本体、及び前記連結部を覆う、長円形状の開口部を有する断面半円形状のカバーと、前記カバーの上端に設けられ前記ハードコンタクトレンズの外径より小さい複数の貫通孔を有する注水口と、を備えたことを特徴とする。
【００１９】
請求項４に係る考案は、上記構成に加え、前記蓋部と、前記円筒部とが一体的に形成されていることを特徴とする。
【００２０】
請求項５に係る考案は、上記構成に加え、前記貫通孔の内径は1.0ｍｍ〜1.5ｍｍの範囲であることを特徴とする。
【考案の効果】
【００２１】
本考案によれば、簡単な構成で洗浄中に落下することがないコンタクトレンズ落下防止機能付き洗浄具の提供が可能となる。
【図面の簡単な説明】
【００２２】
【図１】（ａ）は、近視用のハードコンタクトレンズの正面図であり、（ｂ）は、（ａ）のＩｂ−Ｉｂ線断面図であり、（ｃ）は、（ａ）に示したハードコンタクトレンズの一対を収容するレンズケースの拡散分解図の一例であり、（ｄ）は（ａ）に示したハードコンタクトレンズの一対を収容したレンズケースの外観斜視図である。
【図２】ユーザーＵがハードコンタクトレンズ１Ｒをレンズ保持部６ごと水道水で洗浄保存液を洗い流す状態を示す図である。
【図３】レンズ保持部６からハードコンタクトレンズ１Ｒが外れた状態を示す図である。
【図４】（ａ）は、本考案の一実施の形態に係るコンタクトレンズ落下防止機能付き洗浄具の平面図であり、（ｂ）は、（ａ）の側面片断面図であり、（ｃ）は、（ａ）の外観斜視図である。
【図５】ユーザーの右指ＦＲでレンズケース２からキャップ４を外してコンタクトレンズ落下防止機能付き洗浄具２０に収容させる様子を示す説明図である。
【図６】図５に示したコンタクトレンズ落下防止機能付き洗浄具２０の透視図である。
【図７】ユーザーＵがコンタクトレンズ落下防止機能付き洗浄具２０を用いてハードコンタクトレンズ１Ｒをキャップ４ごと洗浄する状態を示す図である。
【図８】本考案の他の実施の形態に係るコンタクトレンズ落下防止機能付き洗浄具３０の外観斜視図である。
【図９】図８に示したコンタクトレンズ落下防止機能付き洗浄具３０の作用についての説明図である。
【図１０】本考案の他の実施の形態に係るコンタクトレンズ落下防止機能付き洗浄具のカバーが開いているときの外観斜視図である。
【図１１】図１０に示したコンタクトレンズ落下防止機能付き洗浄具のカバーが閉じているときの外観斜視図である。
【図１２】（ａ）〜（ｆ）は、図１１に示したコンタクトレンズ落下防止機能付き洗浄具のカバーを開閉するときのXII−XII線断面図である。
【考案を実施するための形態】
【００２３】
[実施形態１]
＜構成＞
本考案の一実施の形態に係るコンタクトレンズ落下防止機能付き洗浄具の構成について述べる。
図４（ａ）は、本考案の一実施の形態に係るコンタクトレンズ落下防止機能付き洗浄具の平面図であり、図４（ｂ）は、図４（ａ）の側面片断面図であり、図４（ｃ）は、図４（ａ）の外観斜視図である。
【００２４】
コンタクトレンズ落下防止機能付き洗浄具２０は、蓋部２１と、円筒部２２と、テーパー部２３と、を有するほぼ漏斗状の器具である。
【００２５】
蓋部２１の底面には複数（図では17個であるが限定されない。）の貫通孔２１ａが形成されており、蓋部２１の内周壁には雌ネジ２１ｔが形成されている。蓋部２１の内径はハードコンタクトレンズ１Ｒ、１Ｌ用のレンズケース２（図１参照。）に用いられるキャップ４、５の外径より大きく、かつ蓋部２１内でレンズ保持部６、７を装着した状態のキャップ４、５が傾斜しても横転しない程度の大きさが必要である。これは洗浄後のキャップ４、５を取り出しやすくするためである。貫通孔２１ａの内径は1.0ｍｍ〜1.5ｍｍの範囲内に形成されている。蓋部２１の材質は例えば、ポリエチレンが挙げられるが、他の種類の樹脂や金属（例えば、アルミニウム、銅、ステンレス、真鍮その他の合金）であってもよい。
【００２６】
円筒部２２は、外周壁に蓋部２１の雌ネジ２１ｔと螺合可能な雄ネジ２２ｔが形成された円筒状の部材である。円筒部２２の内径及び長さは、レンズ保持部６、７を装着した状態のキャップ４、５が傾斜しても横転しない程度の大きさであればよい。
円筒部２２は、上方に開口が形成されたテーパー部２３と一体的に形成されている。
【００２７】
テーパー部２３の形状は、ほぼ回転放物面体状に形成されているが、本考案はこれに限定されるものではなく、円錐状、楕円錐状、多角錐状のいずれであってもよい。テーパー部２３の内径及び深さは、ユーザーの指で内部に収容されたレンズケース２を取り出すことができる程度であればよい。
【００２８】
円筒部２２及びテーパー部２３の材質は例えば、ポリエチレンテレフタレートが挙げられるが、本考案はこれに限定されるものではなく、他の種類の樹脂や金属（例えば、アルミニウム、銅、ステンレス、真鍮その他の合金）であってもよい。
【００２９】
＜作用＞
本考案のコンタクトレンズ落下防止機能付き洗浄具の作用について図５〜図７を参照して述べる。
図５は、ユーザーの右指ＦＲでレンズケース２からキャップ４を外してコンタクトレンズ落下防止機能付き洗浄具２０に収容させる様子を示す説明図である。
図５に示すように、例えば左指ＦＬでレンズケース２を鉛直になるように保持したまま、右指ＦＲで一方（この場合、上側）のキャップ４を外す。左指ＦＲでコンタクトレンズ落下防止機能付き洗浄具２０を保持し、右指ＦＲでレンズ保持部６が上向きになるようにして、キャップ４をコンタクトレンズ落下防止機能付き洗浄具２０の蓋部２１内に置く。
【００３０】
図６は、図５に示したコンタクトレンズ落下防止機能付き洗浄具２０の透視図である。
図６に示すようにキャップ４はレンズ保持部６が上になるように蓋部２１内に収容されている。このような状態になることにより、キャップ４の外周面と蓋部２１の内周面との間に水道水の流路となる隙間が形成される。
【００３１】
図７は、ユーザーＵがコンタクトレンズ落下防止機能付き洗浄具２０を用いてハードコンタクトレンズ１Ｒをキャップ４ごと洗浄する状態を示す図である。
ユーザーＵがキャップ４を収容したコンタクトレンズ落下防止機能付き洗浄具２０を洗面ボール１０上の蛇口１３の下に位置するようにして、蛇口１３から水道水を出すと、水道水はテーパー部２３に入り、レンズ１Ｒ、キャップ４、及び貫通孔２１ａを通って装着用マット１２に当たり、貫通孔１２ａを通過して排水口１１から洗浄後の水道水が排出される。
このとき、テーパー部２３内の水道水の水位は、テーパー部２３の開口部より高くならないようにテーパー部２３の蓋部２１の底面から開口部までの高さが設定されている。
【００３２】
ここで、蛇口１３からの水道水の水圧が高くなって、レンズ１Ｒがキャップ４のレンズ保持部６（図１参照。）から外れてもレンズ１Ｒはコンタクトレンズ落下防止機能付き洗浄具２０内の水道水内を漂うだけであり、洗面ボール１０内に落下することはない。
したがって、ユーザーＵは安心してコンタクトレンズ１Ｒ（１Ｌ）を洗浄することができる。
洗浄後は、水道水を止めてコンタクトレンズ落下防止機能付き洗浄具２０内のレンズ１Ｒをキャップ４ごと指で取り出して目に装着すればよい。
【００３３】
[実施形態２]
＜構成＞
図８は、本考案の他の実施の形態に係るコンタクトレンズ落下防止機能付き洗浄具３０の外観斜視図である。
図４に示した実施の形態との相違点は、第一の洗浄具本体２０Ｒと第二の洗浄具本体２０Ｌとを２個並列接続した点である。
【００３４】
第一の洗浄具本体２０Ｒは、内周壁に雌ネジが形成され、底部に複数の貫通孔２１Ｒａが形成され、ハードコンタクトレンズ１Ｒのレンズ保持部６をキャップ４ごと収容可能な蓋部２１Ｒと、蓋部２１Ｒの雌ネジと螺合可能な雄ネジが形成された円筒部２２Ｒと、円筒部２２Ｒから上方に広がるテーパー部２３Ｒと、を有する。
【００３５】
第二の洗浄具本体２０Ｌは、内周壁に雌ネジが形成され、底部に複数の貫通孔２１Ｌａが形成され、ハードコンタクトレンズ１Ｌのレンズ保持部７をキャップ５ごと収容可能な蓋部２１Ｌと、蓋部２１Ｌの雌ネジと螺合可能な雄ネジが形成された円筒部２２Ｌと、円筒部２２Ｌから上方に広がるテーパー部２３Ｌと、を有する。
【００３６】
３０ａは並列接続部であり、並列接続部３０ａとしては、例えば、加熱による溶融樹脂を塗布し、冷却させて固化することによる溶着、高周波溶着装置による溶着、接着剤による接着、コの字形状金具（例えば、アルミニウム、ステンレス、真鍮等の金属からなる金具）のカシメによる圧着接続、リベット圧着、ボルトナット接続等により実現される。
第一の洗浄具及び第二の洗浄部の材質は実施形態１と同様のため、説明を省略する。
【００３７】
＜作用＞
図９は、図８に示したコンタクトレンズ落下防止機能付き洗浄具３０の作用についての説明図である。
図９に示すコンタクトレンズ落下防止機能付き洗浄具３０は、第一の洗浄具本体２０Ｒと第二の洗浄具本体２０Ｌとを並列接続したため、ハードコンタクトレンズ１Ｒ、１Ｌを同時に洗浄することができる。
第一の洗浄具本体２０Ｒもしくは第二の洗浄具本体２０Ｌの何れか一方をユーザーＵのいずれかの指Ｆで持ち、第一もしくは第二の何れかの洗浄具本体２０Ｒ、２０Ｌに蛇口１３から水道水を注ぐと、ハードコンタクトレンズ１Ｒ、１Ｌのいずれかを洗浄することができる。水道水は第一、第二のいずれの洗浄具本体２０Ｒ、２０Ｌに溜まることはないのでコンタクトレンズ落下防止機能付き洗浄具３０の重量は、使用前後においてほぼ乾燥重量のままであり、並列接続部３０ａへの応力の増加はほとんどない。このため水道水の注入により破損することはない。
【００３８】
[実施形態３]
図１０は、本考案の他の実施の形態に係るコンタクトレンズ落下防止機能付き洗浄具のカバーが開いているときの外観斜視図である。
図１０に示した実施の形態と図８に示した実施の形態との相違点は、テーパー部を断面半円形状の連結部で接続し、コンタクトレンズの外径より小さい複数の貫通孔３６ａが形成された注水口３６を有するカバーを設けた点である。
【００３９】
図１０に示すコンタクトレンズ落下防止機能付き洗浄具４０は、洗浄具本体３１と、洗浄具本体３１を覆うカバー３２と、を有し、頂部には注水口３６が形成されている。
洗浄具本体３１は、図８に示した第一の洗浄具本体２０Ｒと第二の洗浄具本体２０Ｌとを断面半円形状の連結部３３で接続したものであり、長円形の開口部を有する。
洗浄具本体３１の開口部の円頂部付近には例えば断面半楕円形状の保持部３４が固定されており、連結部３３の外周部には可撓性の樹脂からなる爪付きバンド５０が固定されている。
カバー３２の長円形の開口部には段差が形成されており、洗浄具本体３１に閉じたときのズレを防止する効果がある。
カバー３２の爪付きバンド５０の先端部付近には爪付きバンド５０の先端部が貫通可能な貫通孔が形成された保持部材５１が固定されている。
【００４０】
図１１は、図１０に示したコンタクトレンズ落下防止機能付き洗浄具のカバーが閉じているときの外観斜視図である。
カバー３２が洗浄具本体３１を接続手段により取り外し自在に覆うようになっている。すなわち、爪付きバンド５０の両先端部が保持部材５１に保持されるようになっている。
【００４１】
図１２（ａ）〜（ｆ）は、図１１に示した図１０に示したコンタクトレンズ落下防止機能付き洗浄具のカバーを開閉するときのXII−XII線断面図である。
図１２（ａ）は、洗浄具本体３１にカバー３２を矢印Ｐ１方向に閉じる直前の状態を示す図である。すなわち、カバー３２に固定された保持部材５１の貫通孔５１ａに連結部３３の爪付きバンド５０の先端が挿入される直前の状態が示されている。
図１２（ｂ）は、接続手段としての爪付きバンド５０の先端部が保持部材５１の貫通孔５１ａに爪５０ａが折りたたまれた状態で矢印Ｐ２方向に挿入されている状態が示されている。爪５０ａが折りたたまれることにより貫通孔５１ａを通過可能となっている。
図１２（ｃ）は、爪付きバンド５０が爪５０ａごと保持部材５１の貫通孔５１ａを通過して、爪５０ａが元の状態に復元した状態を示している。この爪５０ａの復元により爪付きバンド５０は保持部材５１にロックされ、カバー３２が連結部３３を覆った状態でロックされたことになる。このような状態でカバー３２の注水口３６から水道水を注水しても、カバー３２と洗浄具本体３１とは連結した状態となっており、注水口３６にはハードコンタクトレンズ１Ｌ、１Ｒの外径より小さい貫通孔３６ａが形成されているので、水道水での洗浄中にハードコンタクトレンズ１Ｌ、１Ｒがレンズ保持部６、７から外れたとしても外部に落下することはない。
【００４２】
図１２（ｄ）は、ユーザーが爪５０ａを矢印Ｐ３方向に押すことにより爪５０ａが爪付きバンド５０に密着し、カバー３２を矢印Ｐ４方向に引き上げることで爪付きバンド５０の先端部が保持部材５１の貫通孔５１ａを通過可能となる。
図１２（ｅ）は、爪付きバンド５０の爪５０ａを折り畳んだ状態でカバー３２を矢印Ｐ４方向に引き上げる途中の状態を示している。
図１２（ｆ）は、カバー３２を矢印Ｐ５方向に引き上げることでカバー３２と連結部３３、すなわち洗浄具本体３１が離れる状態を示している。
尚、カバー３２と洗浄具本体３１との連結は上述した実施の形態に限定されるものではない。
【００４３】
以上において、本実施形態によれば、簡単な構成で洗浄中に落下することがないコンタクトレンズ落下防止機能付き洗浄具の提供を実現することができる。
なお、上記実施形態は、本考案における好適な具体例であり、技術的に好ましい種々の限定を付している場合もあるが、本考案の技術範囲は、特に本考案を限定する記載がない限り、これらの態様に限定されるものではない。また、上記実施形態における構成要素は、適宜、既存の構成要素等との置き換えが可能であり、かつ、他の既存の構成要素との組合せを含む様々なバリエーションが可能である。したがって、上記実施形態の記載をもって、実用新案登録請求の範囲に記載された考案の内容を限定するものではない。
例えば、上述した実施の形態では、蓋部と円筒部とが別体の場合で説明したが、本考案はこれに限定されるものではなく、一体化されていてもよい。すなわち、蓋部、円筒部、及びテーパー部をブロー成形によって形成してもよい。
【符号の説明】
【００４４】
１、１Ｒ、１Ｌ    ハードコンタクトレンズ
２    レンズケース
３    ケース本体
３Ｃ    隔壁
４、５    キャップ
６、７    レンズ保持部
１０    洗面ボール
１１    排水口
１２    装着用マット
１２ａ    貫通孔
１３    蛇口
２０、３０    コンタクトレンズ落下防止機能付き洗浄具
２０Ｒ    第一の洗浄具本体
２０Ｌ    第二の洗浄具本体
２１、２１Ｒ、２１Ｌ    蓋部
２２、２２Ｒ、２２Ｌ    円筒部
２３、２３Ｒ、２３Ｌ    テーパー部
３０ａ    並列接続部
５０    爪付きバンド
５０ａ    爪
５１    保持部材
５１ａ    貫通孔
【図１】
0003208583.tif 000003
【図２】
0003208583.tif 000004
【図３】
0003208583.tif 000005
【図４】
0003208583.tif 000006
【図５】
0003208583.tif 000007
【図６】
0003208583.tif 000008
【図７】
0003208583.tif 000009
【図８】
0003208583.tif 000010
【図９】
0003208583.tif 000011
【図１０】
0003208583.tif 000012
【図１１】
0003208583.tif 000013
【図１２】
0003208583.tif 000014